【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
双方向メディアガイダンスアプリケーションに提示される自然言語クエリのための補助機能を実行する方法であって、
ユーザからメディアアセットに関するクエリを受信することと、
クエリテンプレートが前記ユーザのクエリに合致するかどうかを判定することと、
前記クエリテンプレートが前記ユーザのクエリに合致すると判定したことに応答して、前記クエリテンプレートに対応する補助機能を識別して実行することと
を含む、方法。
【請求項２】
前記方法は、
前記クエリに応答して前記メディアアセットを表示のために生成することと、
前記メディアアセットおよび前記補助機能の実行からの出力を含む双方向メディアガイダンス画面を表示のために生成することと
をさらに含み、
前記クエリテンプレートが前記ユーザのクエリに合致するかどうかを判定することは、
前記双方向メディアガイダンスアプリケーションのユーザの使用パターンを示すユーザプロファイルを読み出すことと、
前記ユーザプロファイルが前記クエリテンプレートを含むかどうかを判定することと
を含み、
前記クエリテンプレートに対応する前記補助機能は、前記クエリに応答して前記メディアアセットを表示のために生成することに続いて実行される、請求項１に記載の方法。
【請求項３】
前記補助機能は、前記メディアアセットが利用できるコンテンツソースを識別する検索機能を備え、前記補助機能の実行からの出力を含む前記双方向メディアガイダンス画面を表示のために生成することは、前記メディアアセットおよび前記メディアアセットが利用できるコンテンツソースを含む前記双方向メディアガイダンス画面を表示のために生成することを含む、請求項２に記載の方法。
【請求項４】
前記補助機能は、前記メディアアセットに関連するガイダンス特徴を識別するための検索機能を備え、前記補助機能の実行からの出力を含む前記双方向メディアガイダンス画面を表示のために生成することは、前記メディアアセットおよび前記メディアアセットに関連するガイダンス特徴を表示のために生成することを含む、請求項２に記載の方法。
【請求項５】
前記ガイダンス特徴は、前記メディアアセットの録画要求である、請求項４に記載の方法。
【請求項６】
前記ユーザプロファイルが前記ユーザのクエリに合致するクエリテンプレートを含むかどうかを判定することは、
前記クエリ内の１つ以上のトークンを識別することと、
前記ユーザプロファイルが前記１つ以上のトークンの少なくとも一部に合致するクエリテンプレートを含むかどうかを判定することと
を含む、請求項２〜５のいずれかに記載の方法。
【請求項７】
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別することは、前記ユーザプロファイルから前記クエリテンプレートに対応する補助機能を識別することを含む、請求項２〜６のいずれかに記載の方法。
【請求項８】
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別することは、前記遠隔データベースから前記クエリテンプレートに対応する補助機能を識別することを含む、請求項２〜７のいずれかに記載の方法。
【請求項９】
前記クエリテンプレートは第１のクエリテンプレートであり、前記補助機能は第１の補助機能であり、
前記方法は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
ことをさらに含む、請求項２〜８のいずれかに記載の方法。
【請求項１０】
前記方法は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行する
ことと、
前記メディアアセットおよび前記第２の補助機能の実行からの出力を含む双方向メディアガイダンス画面を表示のために生成することと
をさらに含む、請求項９に記載の方法。
【手続補正２】
【補正対象書類名】明細書
【補正対象項目名】００２３
【補正方法】変更
【補正の内容】
【００２３】
前述のシステム、方法、装置、および／または側面は、本開示に記載される他のシステム、方法、装置、および／または側面に適用されてもよいし、もしくはそれに従って使用されてもよいことに留意されたい。
本発明は、例えば、以下を提供する。
（項目１）
双方向メディアガイダンスアプリケーションに提示される自然言語クエリのための補助機能を実行する方法であって、
ユーザからメディアアセットに関するクエリを受信することと、
クエリテンプレートが前記ユーザのクエリに合致するかどうかを判定することと、
前記クエリテンプレートが前記ユーザのクエリに合致すると判定したことに応答して、前記クエリテンプレートに対応する補助機能を識別して実行することと
を含む、方法。
（項目２）
双方向メディアガイダンスアプリケーションに提示される自然言語クエリのための補助機能を実行する方法であって、
ユーザからメディアアセットに関するクエリを受信することと、
前記クエリに応答して前記メディアアセットを表示のために生成することと、
前記双方向メディアガイダンスアプリケーションのユーザの使用パターンを示すユーザプロファイルを読み出すことと、
前記ユーザプロファイルが前記ユーザのクエリに合致するクエリテンプレートを含むかどうかを判定することと、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
ことと
を含む、方法。
（項目３）
前記方法は、前記メディアアセットおよび前記補助機能の実行からの出力を含む双方向メディアガイダンス画面を表示のために生成することをさらに含む、項目２に記載の方法。
（項目４）
前記補助機能は、前記メディアアセットが利用できるコンテンツソースを識別する検索機能を備え、前記補助機能の実行からの出力を含む前記双方向メディアガイダンス画面を表示のために生成することは、前記メディアアセットおよび前記メディアアセットが利用できるコンテンツソースを含む前記双方向メディアガイダンス画面を表示のために生成することを含む、項目３に記載の方法。
（項目５）
前記補助機能は、前記メディアアセットに関連するガイダンス特徴を識別するための検索機能を備え、前記補助機能の実行からの出力を含む前記双方向メディアガイダンス画面を表示のために生成することは、前記メディアアセットおよび前記メディアアセットに関連するガイダンス特徴を表示のために生成することを含む、項目３に記載の方法。
（項目６）
前記ガイダンス特徴は、前記メディアアセットの録画要求である、項目５に記載の方法。
（項目７）
前記ユーザプロファイルが前記ユーザのクエリに合致するクエリテンプレートを含むかどうかを判定することは、
前記クエリ内の１つ以上のトークンを識別することと、
前記ユーザプロファイルが前記１つ以上のトークンの少なくとも一部に合致するクエリテンプレートを含むかどうかを判定することと
を含む、項目２に記載の方法。
（項目８）
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別することは、前記ユーザプロファイルから前記クエリテンプレートに対応する補助機能を識別することを含む、項目２に記載の方法。
（項目９）
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別することは、前記遠隔データベースから前記クエリテンプレートに対応する補助機能を識別することを含む、項目２に記載の方法。
（項目１０）
前記クエリテンプレートは第１のクエリテンプレートであり、前記補助機能は第１の補助機能であり、
前記方法は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
ことをさらに含む、項目２に記載の方法。
（項目１１）
前記方法は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行する
ことと、
前記メディアアセットおよび前記第２の補助機能の実行からの出力を含む双方向メディアガイダンス画面を表示のために生成することと
をさらに含む、項目１０に記載の方法。
（項目１２）
双方向メディアガイダンスアプリケーションに提示される自然言語クエリのための補助機能を実行するシステムであって、
ユーザ入力デバイスと、
ユーザプロファイルを記憶しているメモリと、
制御回路であって、前記制御回路は、
前記ユーザ入力デバイスからメディアアセットに関するクエリを受信し、
前記クエリに応答して前記メディアアセットを表示のために生成し、
前記双方向メディアガイダンスアプリケーションのユーザの使用パターンを示すユーザプロファイルを前記メモリから読み出し、
前記ユーザプロファイルが前記ユーザのクエリに合致するクエリテンプレートを含むかどうかを判定し、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
ように構成された、制御回路と
を備える、システム。
（項目１３）
前記制御回路は、
前記メディアアセットおよび前記補助機能の実行からの出力を含む双方向メディアガイダンス画面を表示のために生成するようにさらに構成されている、項目１２に記載のシステム。
（項目１４）
前記補助機能は、前記メディアアセットが利用できるコンテンツソースを識別するための検索機能を備え、前記補助機能の実行からの出力を含む前記双方向メディアガイダンス画面を表示のために生成するように構成された制御回路は、前記メディアアセットおよび前記メディアアセットが利用できるコンテンツソースを含む前記双方向メディアガイダンス画面を表示のために生成するように構成された制御回路を含む、項目１３に記載のシステム。
（項目１５）
前記補助機能は、前記メディアアセットに関連するガイダンス特徴を識別するための検索機能を備え、前記補助機能の実行からの出力を含む前記双方向メディアガイダンス画面を表示のために生成するように構成された制御回路は、前記メディアアセットおよび前記メディアアセットに関連するガイダンス特徴を表示のために生成するように構成された制御回路を含む、項目１３に記載のシステム。
（項目１６）
前記ガイダンス特徴は、前記メディアアセットの録画要求である、項目１５に記載のシステム。
（項目１７）
前記ユーザプロファイルが前記ユーザのクエリに合致するクエリテンプレートを含むかどうかを判定するように構成された制御回路は、
前記クエリ内の１つ以上のトークンを識別し、
前記ユーザプロファイルが前記１つ以上のトークンの少なくとも一部に合致するクエリテンプレートを含むかどうかを判定するように構成された制御回路を備える、項目１２に記載のシステム。
（項目１８）
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別するように構成された制御回路は、前記ユーザプロファイルから前記クエリテンプレートに対応する補助機能を識別するように構成された制御回路を備える、項目１２に記載のシステム。
（項目１９）
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別するように構成された制御回路は、前記遠隔データベースから前記クエリテンプレートに対応する補助機能を識別するように構成された制御回路を備える、項目１２に記載のシステム。
（項目２０）
前記クエリテンプレートは第１のクエリテンプレートであり、前記補助機能は第１の補助機能であり、前記制御回路は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
ようにさらに構成されている、項目１２に記載のシステム。
（項目２１）
前記制御回路は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行し、
前記メディアアセットおよび前記第２の補助機能の実行からの出力を含む双方向メディアガイダンス画面を表示のために生成する
ようにさらに構成されている、項目２０に記載のシステム。
（項目２２）
双方向メディアガイダンスアプリケーションに提示される自然言語クエリのための補助機能を実行する装置であって、
ユーザからメディアアセットに関するクエリを受信する手段と、
前記クエリに応答して前記メディアアセットを表示のために生成する手段と、
前記双方向メディアガイダンスアプリケーションのユーザの使用パターンを示すユーザプロファイルを読み出す手段と、
前記ユーザプロファイルが前記ユーザのクエリに合致するクエリテンプレートを含むかどうかを判定する手段と、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
手段と
を備える、装置。
（項目２３）
前記メディアアセットおよび前記補助機能の実行からの出力を含む双方向メディアガイダンス画面を表示のために生成する手段をさらに備える、項目２２に記載の装置。
（項目２４）
前記補助機能は、前記メディアアセットが利用できるコンテンツソースを識別するための検索機能を備え、前記補助機能の実行からの出力を含む前記双方向メディアガイダンス画面を表示のために生成する手段は、前記メディアアセットおよび前記メディアアセットが利用できるコンテンツソースを含む前記双方向メディアガイダンス画面を表示のために生成する手段を備える、項目２３に記載の装置。
（項目２５）
前記補助機能は、前記メディアアセットに関連するガイダンス特徴を識別する検索機能を備え、前記補助機能の実行からの出力を含む前記双方向メディアガイダンス画面を表示のために生成するための手段は、前記メディアアセットおよび前記メディアアセットに関連するガイダンス特徴を表示のために生成する手段を備える、項目２３に記載の装置。
（項目２６）
前記ガイダンス特徴は、前記メディアアセットの録画要求である、項目２５に記載の装置。
（項目２７）
前記ユーザプロファイルが前記ユーザのクエリに合致するクエリテンプレートを含むかどうかを判定する手段は、
前記クエリ内の１つ以上のトークンを識別する手段と、
前記ユーザプロファイルが前記１つ以上のトークンの少なくとも一部に合致するクエリテンプレートを含むかどうかを判定する手段と
を備える、項目２２に記載の装置。
（項目２８）
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別する手段は、前記ユーザプロファイルから前記クエリテンプレートに対応する補助機能を識別する手段を備える、項目２２に記載の装置。
（項目２９）
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別する手段は、前記遠隔データベースから前記クエリテンプレートに対応する補助機能を識別する手段を含む、項目２２に記載の装置。
（項目３０）
前記クエリテンプレートは第１のクエリテンプレートであり、前記補助機能は第１の補助機能であり、
前記装置は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
手段をさらに備える、項目２２に記載の装置。
（項目３１）
前記装置は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行する
手段と、
前記メディアアセットおよび前記第２の補助機能の実行からの出力を含む双方向メディアガイダンス画面を表示のために生成する手段と
をさらに備える、項目３０に記載の装置。
（項目３２）
メモリを備えた非一時的機械可読媒体であって、前記メモリには、双方向メディアガイダンスアプリケーションに提示される自然言語クエリのための補助機能を実行するための命令がエンコードされており、
前記非一時的機械可読媒体は、
ユーザからメディアアセットに関するクエリを受信するための命令と、
前記クエリに応答して前記メディアアセットを表示のために生成するための命令と、
前記双方向メディアガイダンスアプリケーションのユーザの使用パターンを示すユーザプロファイルを読み出すための命令と、
前記ユーザプロファイルが前記ユーザのクエリに合致するクエリテンプレートを含むかどうかを判定するための命令と、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
ための命令と
を備える、非一時的機械可読媒体。
（項目３３）
前記非一時的機械可読媒体は、前記メディアアセットおよび前記補助機能の実行からの出力を含む双方向メディアガイダンス画面を表示のために生成するための命令をさらに備える、項目３２に記載の非一時的機械可読媒体。
（項目３４）
前記補助機能は、前記メディアアセットが利用できるコンテンツソースを識別するための検索機能を備え、前記補助機能の実行からの出力を含む前記双方向メディアガイダンス画面を表示のために生成するための命令は、前記メディアアセットおよび前記メディアアセットが利用できるコンテンツソースを含む前記双方向メディアガイダンス画面を表示のために生成するための命令を備える、項目３３に記載の非一時的機械可読媒体。
（項目３５）
前記補助機能は、前記メディアアセットに関連するガイダンス特徴を識別するための検索機能を備え、前記補助機能の実行からの出力を含む前記双方向メディアガイダンス画面を表示のために生成するための命令は、前記メディアアセットおよび前記メディアアセットに関連するガイダンス特徴を表示のために生成するための命令を備える、項目３３に記載の非一時的機械可読媒体。
（項目３６）
前記ガイダンス特徴は、前記メディアアセットの録画要求である、項目３５に記載の非一時的機械可読媒体。
（項目３７）
前記ユーザプロファイルが前記ユーザのクエリに合致するクエリテンプレートを含むかどうかを判定するための命令は、
前記クエリ内の１つ以上のトークンを識別するための命令と、
前記ユーザプロファイルが前記１つ以上のトークンの少なくとも一部に合致するクエリテンプレートを含むかどうかを判定するための命令と
を含む、項目３２に記載の非一時的機械可読媒体。
（項目３８）
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別するための命令は、前記ユーザプロファイルから前記クエリテンプレートに対応する補助機能を識別するための命令を備える、項目３２に記載の非一時的機械可読媒体。
（項目３９）
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別するための命令は、前記遠隔データベースから前記クエリテンプレートに対応する補助機能を識別するための命令を備える、項目３２に記載の非一時的機械可読媒体。
（項目４０）
前記クエリテンプレートは第１のクエリテンプレートであり、前記補助機能は第１の補助機能であり、
前記非一時的機械可読媒体は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
ための命令をさらに備える、項目３２に記載の非一時的機械可読媒体。
（項目４１）
前記非一時的機械可読媒体は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行する
ための命令と、
前記メディアアセットおよび前記第２の補助機能の実行からの出力を含む双方向メディアガイダンス画面を表示のために生成するための命令と
をさらに備える、項目４０に記載の非一時的機械可読媒体。
（項目４２）
双方向メディアガイダンスアプリケーションに提示される自然言語クエリのための補助機能を実行する方法であって、
ユーザからメディアアセットに関するクエリを受信することと、
前記クエリに応答して前記メディアアセットを表示のために生成することと、
前記双方向メディアガイダンスアプリケーションのユーザの使用パターンを示すユーザプロファイルを読み出すことと、
前記ユーザプロファイルが前記ユーザのクエリに合致するクエリテンプレートを含むかどうかを判定することと、
前記ユーザプロファイルが前記ユーザのクエリに合致するクエリテンプレートを含むと判定したことに応答して、
前記クエリテンプレートに対応する補助機能を識別し、
前記クエリに応答して前記メディアアセットを表示のために生成することに続いて前記補助機能を実行する
ことと
を含む、方法。
（項目４３）
前記方法は、前記メディアアセットおよび前記補助機能の実行からの出力を含む双方向メディアガイダンス画面を表示のために生成することをさらに含む、項目４２に記載の方法。
（項目４４）
前記補助機能は、前記メディアアセットが利用できるコンテンツソースを識別するための検索機能を備え、前記補助機能の実行からの出力を含む前記双方向メディアガイダンス画面を表示のために生成することは、前記メディアアセットおよび前記メディアアセットが利用できるコンテンツソースを含む前記双方向メディアガイダンス画面を表示のために生成することを含む、項目４３に記載の方法。
（項目４５）
前記補助機能は、前記メディアアセットに関連するガイダンス特徴を識別するための検索機能を備え、前記補助機能の実行からの出力を含む前記双方向メディアガイダンス画面を表示のために生成することは、前記メディアアセットおよび前記メディアアセットに関連するガイダンス特徴を表示のために生成することを含む、項目４３に記載の方法。
（項目４６）
前記ガイダンス特徴は、前記メディアアセットの録画要求である、項目４５に記載の方法。
（項目４７）
前記ユーザプロファイルが前記ユーザのクエリに合致するクエリテンプレートを含むかどうかを判定することは、
前記クエリ内の１つ以上のトークンを識別することと、
前記ユーザプロファイルが前記１つ以上のトークンの少なくとも一部に合致するクエリテンプレートを含むかどうかを判定することと
を含む、項目４２〜４６のいずれか１項に記載の方法。
（項目４８）
前記双方向メディアガイダンスアプリケーションのユーザの使用パターンを示すユーザプロファイルは、複数のクエリテンプレートおよび対応する複数の補助機能を含み、前記クエリテンプレートに対応する補助機能を識別することは、前記ユーザプロファイルから前記クエリテンプレートに対応する補助機能を識別することを含む、項目４２〜４７のいずれか１項に記載の方法。
（項目４９）
前記双方向メディアガイダンスアプリケーションのユーザの使用パターンを示すユーザプロファイルは、複数のクエリテンプレートを含み、遠隔データベースは、前記複数のクエリテンプレートに対応する複数の補助機能を含み、前記クエリテンプレートに対応する補助機能を識別することは、前記遠隔データベースから前記クエリテンプレートに対応する補助機能を識別することを含む、項目４２〜４８のいずれか１項に記載の方法。
（項目５０）
前記クエリテンプレートは第１のクエリテンプレートであり、前記補助機能は第１の補助機能であり、
前記方法は、
前記ユーザプロファイルが前記ユーザのクエリに合致するクエリテンプレートを含まないと判定したことに応答して、
前記双方向メディアガイダンスアプリケーションの複数のユーザの汎用化された使用パターンを示す汎用プロファイルを読み出し、
前記汎用プロファイルが前記ユーザのクエリに合致する第２のクエリテンプレートを含むかどうかを判定する
ことをさらに含む、項目４２〜４９のいずれか１項に記載の方法。
（項目５１）
前記方法は、
前記汎用プロファイルが前記ユーザのクエリに合致する第２のクエリテンプレートを含むと判定したことに応答して、
前記第２のクエリテンプレートに対応する第２の補助機能を識別し、
前記クエリに応答して前記メディアアセットを表示のために生成することに続いて前記第２の補助機能を実行する
ことと、
前記メディアアセットおよび前記第２の補助機能の実行からの出力を含む双方向メディアガイダンス画面を表示のために生成することと
をさらに含む、項目５０に記載の方法。